(57)【要約】【課題】メジャーテープを用いて測量するための、水平位置調整部、上下・前後位置調整部および鉛直位置調整部を有するメジャーテープ取付機において、測量すべき距離の始点の位置にメジャーテープの始端位置を合わせる作業が容易になるメジャーテープ取付機を提供する。【解決手段】前記上下・前後位置調整部と前記鉛直位置調整部および前記上下・前後位置調整部と前記水平位置調整部とをそれぞれ互いに連結している第一および第二の棒状部材を、これらの棒状部材に共通の移動枠体にそれぞれ摺動可能に、かつ、この移動枠体に対してそれぞれ任意の位置で固定可能に貫通させることにより、前記移動枠体を介して、前記２つの棒状部材を互いに結合させ、更に、前記２つの棒状部材相互の間の角度が変えられるように、この２つの棒状部材を調節可能に設ける。【選択図】図１
2006112854.tif 000002
【特許請求の範囲】
【請求項１】
測量に用いられるメジャーテープの始端位置を、測量すべき距離の始点の直上の位置に合わせて、前記始点からこの測量すべき距離の終点までの距離を前記メジャーテープの目盛りの上で読み取ることによって前記測量すべき距離を測量するために用いられるメジャーテープ取付機であって、前記メジャーテープ取付機が、このメジャーテープ取付機自体を支持してその姿勢を安定させるための基台と、前記メジャーテープの始端位置を水平方向において調整する水平位置調整部と、前記メジャーテープの始端位置を上下・前後方向において調整する上下・前後位置調整部と、前記メジャーテープの始端位置を鉛直方向において調整する鉛直位置調整部と、メジャーテープの始端を前記メジャーテープ取付機に固定するメジャーテープ固定部とを含んでなり、かつ、前記上下・前後位置調整部と前記水平位置調整部および前記上下・前後位置調整部と前記鉛直位置調整部とがそれぞれ第一および第二の棒状部材によって互いに連結し、そして、前記上下・前後位置調整部において、前記２つの棒状部材が、これらの棒状部材に共通の移動枠体にそれぞれ摺動可能に、かつ、この移動枠体に対してそれぞれ任意の位置で固定可能に貫通していることによって、前記２つの棒状部材は前記移動枠体を介して互いに結合し、しかも、前記２つの棒状部材が、この両者相互の間の角度が変えられるように調節可能に設けられていることを特徴とする、前記メジャーテープ取付機。
【請求項２】
前記の移動枠体が、前記第一の棒状部材を摺動可能に、かつ任意の位置で固定可能に貫通させている第一の枠体部分と、前記第二の棒状部材を摺動可能に、かつ任意の位置で固定可能に貫通させている第二の枠体部分とを有し、そして前記第一および第二の枠体部分のいずれか一方の側面に形成された雄型の円盤状凸部が、これらの枠体部分のいずれか他方の枠体部分の側面に形成された雌型の円盤状凹部に回動自在に嵌合され、かつ、前記雄型の円盤状部材が前記雌型部材の円盤状凹部に対して所定の回動位置で止着されることによって、前記２つの棒状部材相互の間の角度が変えられるように調節可能になっている、請求項１記載のメジャーテープ取付機。
【請求項３】
前記メジャーテープ固定部が、メジャーテープをメジャーテープ取付機に固定するための固定枠体と、この固定枠体にメジャーテープを押し付けるためのメジャーテープ締付板およびメジャーテープ締付ネジとを含んでなる、請求項１または２に記載されたメジャーテープ取付機。
【請求項４】
底面では鉛直方向の下垂杆に結合し、かつ側面では前記第二の棒状部材に結合している球体と、この球体が回転自在に嵌合されている垂直調整枠体と、前記球体に対する前記垂直調整枠体の回転位置を固定するための垂直調整枠体固定具と、前記固定部における前記固定枠体に結合してる回転心棒と、前記下垂杆の下端部を上方で摺動・回転可能に受け入れるとともに、前記回転心棒の上端に形成されている回転心棒径大部を下方で回転可能に受け入れる中間枠体と、前記下垂杆の摺動・回転を止めて、前記中間枠体に対する前記下垂杆の位置を固定するための下垂杆固定具とを具えた前記鉛直位置調整部が前記メジャーテープ始端位置の直上方に設けられている、請求項１ないし３のいずれかに記載されたメジャーテープ取付機。
【請求項５】
前記水平位置調整部が前記第一の棒状部材の下方端部を受け入れてこれを摺動・回転可能に支持する棒状部材装着部材と、この棒状部材の摺動・回転を止めて、前記装着部材に対する前記棒状部材の位置を固定するための棒状部材固定具とからなる、請求項１ないし４のいずれかに記載されたメジャーテープ取付機。
【請求項６】
前記水平位置調整部において、前記第一の棒状部材の下方端部を受け入れてこれを摺動・回転可能に支持する棒状部材支持部材を介して、前記第一の棒状部材が前記棒状部材装着部材に装着され、そして前記棒状部材の摺動・回転を止めて、前記支持部材に対する前記棒状部材の位置を固定するための支持部材固定具が設けられている、請求項５記載のメジャーテープ取付機。
【請求項７】
前記水平位置調整部が、球体を受け入れる枠体と、この枠体内に回転可能に嵌合された球体と、この回転を止めて、前記枠体に対する前記球体の位置を固定するための球体固定具とからなり、そしてこの球体に前記第一の棒状部材の下端が結合している、請求項１ないし４のいずれかに記載されたメジャーテープ取付機。
【請求項８】
前記基台が、前記水平位置調整部における前記装着部材または前記枠体と互いに側面で結合して、この装着部材または枠体を介してメジャーテープ取付機全体を支持する重量物からなる、請求項１ないし７のいずれかに記載されたメジャーテープ取付機。
【請求項９】
前記基台が、前記水平位置調整部における前記装着部材または前記枠体の重量を上面で受けて、この装着部材または枠体を介してメジャーテープ取付機全体を支持する重量物からなる、請求項１ないし７のいずれかに記載されたメジャーテープ取付機。
【請求項１０】
前記基台の持ち運びに便利な把手、またはこの基台の地面からの設置高さを高めて基台を安定に支持する三脚を基台に取り付けるための三脚取り付け機構が前記基台に設けられている、請求項８または９に記載されたメジャーテープ取付機。
【発明の詳細な説明】
【技術分野】
【０００１】
本発明は境界測量の測距、センター杭測設の測距、平板測量の測距または工事現場における張出の測距等のメジャーテープによる測量が一人でも正確に、かつ容易に作業することを可能にするメジャーテープ取付機に関するものである。
【背景技術】
【０００２】
従来、境界測量の測距、センター杭測設の測距、平板測量の測距または工事現場における張出の測距等のような、比較的短い距離をメジャーテープで測量する場合、このメジャーテープの始端の位置を測量すべき距離の始点、すなわち基準点に合わせてこれを保持する者と、その始点から終点までの距離をメジャーテープの上で読み取る者との二人の作業者が必要であったのを、本発明者は、このような測量を一人でも行なうことを可能にするメジャーテープ取付機を先に提案した（特許文献１参照）。
【０００３】
既に提案されたこのメジャーテープ取付機は、全体として、図５の側面図に示されるように、このメジャーテープ取付機Ｍ自体を支持してその姿勢を安定させるための支持重量部１０と、メジャーテープを固定するための断面がコ字状を呈する固定枠５１と、この固定枠５１にメジャーテープを押しつけるためのメジャーテープ締付板５６およびメジャーテープ締付ネジ５５とを含む、メジャーテープｔの始端ｐをメジャーテープ取付機Ｍに固定するためのメジャーテープ固定部５０と、支持部材２１を介するか、または介さない装着部材２３によって下端部が前記支持部材２１または装着部材２３に摺動・回転可能に支持されるとともに、前記支持重量部１０に前記下端部が装着される縦棒２２と、この縦棒２２の下端部を支持部材２１または装着部材２３にそれぞれ固定するための支持部材固定具２５または装着部材固定具２６を具えて、メジャーテープｔの始端ｐの位置を水平方向において調整する水平位置調整部２０と、前記縦棒２２と横棒３２とを一体に保持する移動枠３１と、これらの縦棒２２および横棒３２をそれぞれ移動枠３１に固定するための縦棒固定具（２５、２６）および横棒固定具３３とを具える、メジャーテープｔの始端ｐの位置を上下・遠近方向において調整する上下・遠近位置調整部３０と、底面では鉛直方向の下垂杆４４に結合し、かつ側面では前記横棒３２に結合している球体４１と、この球体４１が回転可能に嵌合されている垂直調整枠４２と、球体４１に対する前記垂直調整枠４２の球体４１に対する回転位置を固定するための垂直調整枠固定具４３と、前記メジャーテープ固定部５０における前記固定枠５１に結合している回転心棒５２と、前記下垂杆４４の下端部を上方で摺動・回転可能に受け入れるとともに、前記回転心棒５２の上端に形成されている回転心棒径大部５３を下方で回転可能に受け入れる中間枠４５と、前記下垂杆４４の摺動・回転を止めて、前記中間枠４５に対する下垂杆４４の位置を固定するための下垂杆固定具４６とを具える、測量すべき距離の始点Ｐの直上で前記始端ｐの位置を鉛直方向において調整する鉛直位置調整部４０とを含んでなり、そして、前記上下・遠近位置調整部３０における前記移動枠３１では、この上下・遠近位置調整部３０と前記水平位置調整部２０とを互いに連結する前記縦棒２２および前記上下・遠近位置調整部３０と前記鉛直位置調整部４０とを互いに連結する前記横棒３２とが互いに十文字に交差する形でそれぞれ別々に移動・固定可能に貫通して一体に保持されていて、この移動枠３１には、前記縦棒２２および横棒３２をそれぞれ固定するための縦棒固定具（図示せず）および横棒固定具３３が設けられている。
【０００４】
このようなメジャーテープ取付機Ｍを用いる測量に当たり、図５に示されるように，前記始点Ｐの位置から任意の間隔を空けて、この始点Ｐの高さと高低の差がある傾斜した地面１の或る任意の場所Ｑに前記支持重量部１０が置かれた場合、メジャーテープｔの始端ｐの位置を始点Ｐの直上の位置に合わせるには、水平位置調整部２０において縦棒２２を摺動・回転可能に支持している支持部材２１または装着部材２３にこの縦棒２２を固定するためにそれぞれ設けられている支持部材固定具２５または装着部材固定具２６を緩めて縦棒２２を回転自在の状態とし、縦棒固定具（２５、２６）および横棒固定具３３を緩めて縦棒２２および横棒３２を移動枠３１に対してそれぞれ上下および遠近に移動自在の状態とし、また、垂直調整枠固定具４３を緩めて球体４１に対する垂直調整枠４２の回転を自在の状態にして、下垂杆４４の中心軸の位置が前記始点Ｐの直上の位置にくるようにメジャーテープｔの始端ｐの位置を合わせた後、前記の支持部材固定具２５または装着部材固定具２６、縦棒固定具（２５、２６）、横棒固定具３３および調整枠固定具４３を締めることによって、縦棒２２の上下方向に対する縦棒２２の中心軸の位置、移動枠３１に対する縦棒２２および横棒３２の位置、および球体４１に対する垂直調整枠４２の回転位置をそれぞれ特定することができる。
【０００５】
このような操作によって、メジャーテープ取付機Ｍを用いれば、一人でも正確に、かつ容易に測量することができる。
【０００６】
また、このようなメジャーテープ取付機における前記の支持重量部１０について改善されたメジャーテープ取付機も本出願人は既に提案しており（特許文献２参照）、このメジャーテープ取付機も、この改善された支持重量部１０以外の構成および作用においては、上に述べたメジャーテープ取付機と同様である。
【特許文献１】特開２００４ー３９５６
【特許文献２】特願２００３ー３４３０３４
【発明の開示】
【発明が解決しようとする課題】
【０００７】
先に提案されたこれらのメジャーテープ取付機を用いれば、上述のような操作により、一人でも正確に、かつ容易に測量することができるが、前記の上下・遠近位置調整部３０においては、縦棒２２と横棒３２とが常に、互いに十文字に交差する形で、すなわち、これらの棒部材相互間の角度がほぼ９０°という一定の角度を保ったまま、それぞれ移動枠３１に保持されているので、前記のような操作によってメジャーテープの始端ｐの位置を前記始点Ｐの直上の位置に合わせる場合には、前記上下・遠近位置調整部３０における縦棒固定具（２５、２６）と横棒固定具３３とを緩めることによって得られる縦棒２２および横棒３２の可動範囲が狭くなり、したがってこのような上下・遠近位置調整部３０を含んでいるメジャーテープ取付機では、メジャーテープの始端ｐの位置を始点Ｐの直上の位置に合わせるため操作が上下・遠近位置調整部３０と鉛直位置調整部４０を共に操作しなければならないので、前記操作がやり難いという問題があった。
【０００８】
本発明はこのような問題を解決することを課題として発明されたもので、この課題は、前記のような縦棒および横棒を、これらの棒部材に共通した前記のような移動枠にそれぞれ摺動可能に、かつ、この移動枠に対してそれぞれ任意の位置で固定可能に貫通させることによって、前記移動枠を介して前記縦棒２２および横棒３２を互いに結合させ、かつ、これらの２つの棒部材相互間の角度が変えられるように、これらの縦棒および横棒を設けることによって、解決することができた。
【０００９】
したがって、本発明は、
測量に用いられるメジャーテープの始端位置を、測量すべき距離の始点の直上の位置に合わせて、前記始点からこの測量すべき距離の終点までの距離を前記メジャーテープの目盛りの上で読み取ることによって前記測量すべき距離を測量するために用いられるメジャーテープ取付機であって、前記メジャーテープ取付機が、このメジャーテープ取付機自体を支持してその姿勢を安定させるための基台と、前記メジャーテープの始端位置を水平方向において調整する水平位置調整部と、前記メジャーテープの始端位置を上下・前後方向において調整する上下・前後位置調整部と、前記メジャーテープの始端位置を鉛直方向において調整する鉛直位置調整部と、メジャーテープの始端を前記メジャーテープ取付機に固定するメジャーテープ固定部とを含んでなり、かつ、前記上下・前後位置調整部と前記水平位置調整部および前記上下・前後位置調整部と前記鉛直位置調整部とがそれぞれ第一および第二の棒状部材によって互いに連結し、そして、前記上下・前後位置調整部において、前記２つの棒状部材が、これらの棒状部材に共通の移動枠体にそれぞれ摺動可能に、かつ、この移動枠体に対してそれぞれ任意の位置で固定可能に貫通していることによって、前記２つの棒状部材は前記移動枠体を介して互いに結合し、しかも、前記２つの棒状部材が、この両者相互の間の角度が変えられるように調節可能に設けられていることを特徴とする、前記メジャーテープ取付機
に係わるものである。
【００１０】
本発明は、上記のように、前記第一の棒状部材と第二の棒状部材との間の角度が変えられるように調節可能に、これらの棒状部材が前記共通の移動枠体にそれぞれ設けられているという特徴を有するが、このような特徴は、例えば、前記の移動枠体を、前記第一の棒状部材を摺動可能に、かつ任意の位置で固定可能に貫通させている第一の枠体部分と、前記第二の棒状部材を摺動可能に、かつ任意の位置で固定可能に貫通させている第二の枠体部分との２つの枠体部分で構成させ、そして、前記第一および第二の枠体部分のいずれか一方の側面に形成された雄型の円盤状凸部を、これらの枠体部分のいずれか他方の枠体部分の側面に形成された雌型の円盤状凹部に回動自在に嵌合させ、かつ、前記雄型の円盤状部材を前記雌型部材の円盤状凹部に対して所定の回動位置で止着して、前記２つの棒状部材相互の間の角度が変えられるように調節可能にすることによって得ることができ、このような構成を要件とする本発明の好ましい態様は請求項２に記載されている。
【発明の効果】
【００１１】
請求項１によって特定される本発明によれば、前記上下・前後位置調整部において、前記２つの棒状部材が、これらの棒状部材に共通の移動枠体によってそれぞれ摺動可能に、かつ、この移動枠体に対してそれぞれ任意の位置で固定可能に貫通しているばかりでなく、前記２つの棒状部材が、この両者相互の間の角度が変えられるように調節可能に設けられているために、これらの２つの棒状部材どうしの間の角度が自由に調節できる結果、メジャーテープの始端位置を測量すべき距離の始点の直上の位置に合わせるための位置調整の作業が、先行発明による前記のメジャーテープ取付機に比べて容易になるという効果が得られる。
【発明を実施するための最良の形態】
【００１２】
以下、本発明の最良の形態について説明するが、本発明は、勿論、これらの形態によって限定されるものではない。また図面において、同一の構成を示す符号と同じ符号は、同一の構成を示すものであるので、その説明を省略する場合がある。
【００１３】
図１は、本発明によるメジャーテープ取付機の一例を全体として示す側面図であって、図１に示されるメジャーテープ取付機Ｍ’では、前記の上下・前後位置調整部以外の部分の構成および作用は、前記の図５を参照して説明したメジャーテープ取付機Ｍを包含する前記特許文献１に記載されたメジャーテープ取付機および前記特許文献２で示されるメジャーテープ取付機の前記上下・遠近位置調整部以外の部分の構成および作用と同様であるので、この上下・前後位置調整部以外の部分の構成および作用については以下に簡単に説明する。
【００１４】
図１において、メジャーテープ取付機Ｍ’は、この取付機自体を支持してその姿勢を安定させるための基台１０と、メジャーテープｔの始端ｐの位置を水平方向において調整する水平位置調整部２０と、前記メジャーテープｔの始端ｐの位置を上下・前後方向において調整する上下・前後位置調整部３０と、前記メジャーテープｔの始端ｐの位置を鉛直方向において調整する鉛直位置調整部４０と、前記メジャーテープｔの始端ｐをメジャーテープ取付機に固定するメジャーテープ固定部５０とを含んでいる。
【００１５】
図２は、前記上下・前後位置調整部３０における移動枠体３１とその周辺部分を拡大して示す斜視図であって、この図２では、移動枠体３１を構成している２つの部分、すなわち第一の枠体部分３１ａと第二の枠体部分３１ｂとが嵌合していないで、互いに分離している状態で描かれている。
【００１６】
第一の枠体部分３１ａには、上下・前後位置調整部３０と水平位置調整部２０とを連結する角筒状の第一の棒状部材２２が摺動可能に貫通し、この摺動は固定具としてのネジ３４により摺動が止められて、第一の棒状部材２２は所望の任意の位置で第一の枠体部分３１ａに対して固定される。
【００１７】
一方、前記第一の枠体部分３１ａと一体に結合する第二の枠体部分３１ｂには、上下・前後位置調整部３０と鉛直位置調整部４０とを連結する角筒状の第二の棒状部材３２が摺動可能に貫通し、この摺動は固定具としてのネジ３３により摺動が止められて、第二の棒状部材３２は所望の任意の位置で第二の枠体部分３１ｂに対して固定される。
【００１８】
第二の枠体部分３１ｂの側面には、雄型の円盤状凸部３５が形成されていて、この円盤状凸部３５は、第一の枠体部分３１ａの側面に形成されている雌型の円盤状凹部３６の中で回動自在となるように、図の矢印Ｒの方向に向けてこの円盤状凹部３６の中に嵌合され、この回動は固定具としてのネジ３７により止められて、円盤状凸部３５は所望の任意の回動位置において前記円盤状凹部３６に対して固定（止着）される。
【００１９】
ネジ３７によって円盤状凸部３５の円盤状凹部３６に対する回動を上記のように止めるためには、例えば、ネジ３７の先端部を受け入れて、前記の固定を強固にするのに有効な円形状の窪み３８を、円盤状凸部３５の表面の円周方向に適当な数で設けてもよく、このような窪みは、上記円盤状凸部３５の前記円盤状凹部３６に対する固定ばかりでなく、固定具としてのネジが用いられる前記水平位置調整部２０、前記鉛直位置調整部４０および前記メジャーテープ固定部５０等におけるそれぞれの固定においても利用することができる。
【００２０】
ここで図２を参照して説明した移動枠体３１においては、第一の棒状部材２２が貫通している第一の枠体部分３１ａの側面に雌型の円盤状凹部３６を形成させ、そして第二の棒状部材３２が貫通している第二の枠体部分３１ｂの側面に雄型の円盤状凸部３５を形成させているが、これらの円盤状凸部３５と雌型の円盤状凹部３６とはこれらの枠体部分について逆に、すなわち、雄型の円盤状凸部３５を第一の枠体部分３１ａに、そして雌型の円盤状凹部３６を第二の枠体部分３１ｂに形成させてもよい。
【００２１】
これらの雄型の円盤状凸部３５および雌型の円盤状凹部３６が、それぞれ、第一の枠体部分３１ａおよび第二の枠体部分３１ｂのいずれに形成されていても、第一の棒状部材２２と第二の棒状部材３２とは、これら相互の間で回動自在となるように互いに嵌合し合っているので、第一の棒状部材２２に対する第二の棒状部材３２の回動位置、すなわち角度は広範囲にわたって任意に変えることができる。
【００２２】
以上のように構成される上下・前後位置調整部３０を有するメジャーテープ取付機は、前述の通り、請求項２に記載されている。
【００２３】
図１に示される前記メジャーテープ固定部５０は、メジャーテープを固定するための断面がコ字状を呈する固定枠体５１と、この固定枠体５１にメジャーテープを押し付けるためのメジャーテープ締付板５６およびメジャーテープ締付ネジ５５を含んでいて、このような特定のメジャーテープ固定部５０を要件として含むメジャーテープ取付機は請求項３に記載されている。
【００２４】
図１に示される鉛直位置調整部４０においては、底面では鉛直方向の下垂杆４４に結合し、かつ側面では前記第二の棒状部材３２の一端に結合している球体４１と、この球体４１が回転自在に嵌合されている垂直調整枠体４２と、球体４１に対する垂直調整枠体４２の回転位置を固定するための垂直調整枠体固定具４３と、前記メジャーテープ固定部５０における前記固定枠体５１に結合している回転心棒５２と、前記下垂杆４４の下端部を上方で摺動・回転可能に受け入れるとともに、前記回転心棒５２の上端に形成されている回転心棒径大部５３を下方で回転可能に受け入れる中間枠体４５と、前記下垂杆４４の摺動・回転を止めて、前記中間枠体４５に対する下垂杆４４の位置を固定するための下垂杆固定具４６とが設けられており、このように特定されている鉛直位置調整部４０を要件とするメジャーテープ取付機は請求項４に記載されている。
【００２５】
前記球体４１の表面には、固定具としてのネジ４３による鉛直調整枠体４２の固定が強固となるように、前記の図２に３８として示したような窪み４１ａが形成されていてもよい。
【００２６】
図１に示される前記水平位置調整部２０においては、前記第一の棒状部材２２の下方端部を受け入れてこれを摺動・回転可能に支持する棒状部材装着部材２３と、この棒状部材２２の摺動・回転を止めて、この装着部材２３に対する第一の棒状部材２２の位置を前記装着部材２３に対して固定するための装着部材固定具としてのネジ２６とが設けられており、このように特定されている水平位置調整部２０を要件とするメジャーテープ取付機は請求項５に記載されている。
【００２７】
第二の棒状部材２２の下方端部と棒状部材装着部材２３との間には、この下方端部を受け入れてこれを摺動・回転可能に支持する棒状部材支持部材２１が介在していてもよく、このように棒状部材支持部材２１が介在している場合には、この支持部材２１は前記棒状部材装着部材２３に固着されていて、前記のネジ２６は省かれており、その代わりに、第一の棒状部材２２の摺動・回転を止めて、この棒状部材２２の支持部材２１に対する位置を固定するための支持部材固定具としてのネジ２５が設けられている。このように特定されている水平位置調整部２０を要件とするメジャーテープ取付機は請求項６に記載されている。
【００２８】
前記の水平位置調整部２０はまた、図３の側面図に示されるように構成してもよく、この図３に示される水平位置調整部７０においては、第二の棒状部材２２の下端に結合している球体７１が棒状部材装着部材２３の凹部７１ａに回転可能に、この装着部材２３によって支持され、そして、この縦棒支持部材７１である球体７１ａに凹部７１ｂが設けられており、装着部材２３から脱落しないように、ネジ７２で固定するようになっている。また球体７１は、この上に被せられた蓋７７がネジ７５によって装着部材２３に固定されている。
【００２９】
このように球体７１を前記の凹部７１ａ内に抱えている棒状部材装着部材２３はネジ７４によって基台１０の側面に固着され、そして球体７１の前記凹部７１ａに対する回転は、球体固定具としてのネジ７２で止められることによって、第一の棒状部材２２の下端の装着部が作られている。
【００３０】
第一の棒状部材２２の下端を球体７１で支持する上記のような構造は、図４の側面図に示されるように、基台１０の上面に、この球体７１を棒状部材装着部材２３とともに載せた形にしてもよい。図４においては、第一の棒状部材２２の下端に結合している球体７１は、棒状部材装着部材２３とともに基台１０の上面に載せられて、装着部材２３はネジ（図示せず）で基台１０に固着され、そして上記の場合と同様に、球体７１の前記凹部７１ａに対する回転は、球体固定具としてのネジ（図示せず）で止められるとともに、球体７１の上に被せられた蓋７７はネジ７５によって装着部材２３に固定されている。
【００３１】
このように、第一の棒状部材２２の下端を球体７１で支持する構造となっている水平位置調整部２０を要件とするメジャーテープ取付機は請求項７に記載されている。
【００３２】
なお、図１で参照数字２および３で示されるものは測定すべき距離の始点Ｐと終点Ｐ’にそれぞれ設けられた杭であり、これらの杭２および３の上には、メジャーテープの始端ｐの位置およびメジャーテープの上で読み取られる目盛りの位置からそれぞれ垂れ下がっている糸６０が描かれていて、これらの糸６０の先端からは、前記の始端ｐの位置および読み取られる目盛りの位置を前記の始点および終点にそれぞれ合わせるための垂球６１がそれぞれ垂れ下がっている。
【００３３】
前記の基台１０は、例えば、図１または図３に示されるように、前記水平位置調整部２０における第一棒状部材装着部材２３と互いに側面で結合して、この装着部材２３を介してメジャーテープ取付機全体を安定に支持する重量物１１からなり、このような構成の基台を要件として含むメジャーテープ取付機は請求項８に記載されている。
【００３４】
前記の基台１０はまた、例えば、図４に示されるように、前記水平位置調整部  ２０における棒状部材装着部材２３の重量を上面で受けて、この装着部材２３を介してメジャーテープ取付機全体を安定に支持する重量物１１からなり、このような構成の基台を要件として含むメジャーテープ取付機は請求項９に記載されている。
【００３５】
前記の基台１０は更に、例えば、図１、図３および図４に示されるように、この基台１０の持ち運びが便利になるような把手１２を具えていてもよく、また、例えば、図４に示されるように、基台１０の設置高さを高めて、この基台１０を安定に支持する三脚１４を基台１０に取り付けるためのネジ孔１０ａのような三脚取付機構を具えていてもよく、これらの特徴を有する基台を要件として含むメジャーテープ取付機は請求項１０に記載されている。
【００３６】
前記の各部材には、本発明の精神を逸脱しない限り、当該技術に精通した者にとって明らかな様々な変更を加えることができ、例えば、前記の球体４１および７１は中実でも中空であってもよく、また、前記の棒状部材の横断面は正方形以外の適宜の形状をしていてもよい。
【００３７】
前記の図１ないし図４で示されるようなメジャーテープ取付機を用いて、図１に示されるように、測量すべき距離の始点Ｐとそれの終点Ｐ’との距離を測定するに当たっては、この始点Ｐの位置から任意の間隔を空けて、この始点Ｐの高さと高低の差がある傾斜した地面１の或る任意の場所Ｑに前記基台１０を置いて、メジャーテープｔの始端ｐの位置を前記始点Ｐの直上の位置に合わせるには、水平位置調整部２０における装着部材固定具２６または支持部材固定具２５を緩めて第一の棒状部材２２を回転自在の状態とし、固定具３３，３４および３７を緩めて第一の棒状部材２２，第二の棒状部材３２および雄型の凸部３５をそれぞれ摺動自在および回動自在の状態とし、また、調整枠固定具４３を緩めて球体４１に対する垂直調整枠４２の回転を自在の状態にして、下垂杆４４の中心軸の位置が前記始点Ｐの直上の位置にくるようにメジャーテープｔの始端ｐの位置を垂球６１により測定すべき距離の始点Ｐの位置を示す杭２に合わせた後、前記の支持部材固定具２５または支持部材固定具２６、固定具３３，３４および３７および調整枠固定具４３を締めることによって、第一の棒状部材２２の上下方向に対するこの棒状部材２２の中心軸の位置、移動枠体３１に対する第二の棒状部材３２および第一の棒状部材２２の位置、および球体４１に対する垂直調整枠４２の回転位置をそれぞれ特定させる。
【００３８】
なお、本発明のメジャーテープ取付機においては、この取付機の特徴とする前記上下・前後位置調整部３０以外の部分の構成および作用は、前記の特許文献１および２に示されるメジャーテープ取付機における前記上下・遠近位置調整部３０以外の部分の構成および作用と同様であるので、本発明によるメジャーテープ取付機Ｍ’を用いる測量においても、前記の特許文献１および２に示されるメジャーテープ取付機を用いる測量において行われるのと同様な位置調整の操作が採用され、このような特許文献１および２に示されるメジャーテープ取付機に従う同様な構成および作用並びに位置調整の操作は本明細書中に開示されているものとする。
【００３９】
このような位置の調整の作業では、上下・前後調整部３０において第一の棒状部材２２と第二の棒状部材３２との間の角度を適宜自由に変えることができるので、この調整作業が、これまでのメジャーテープ取付機に比べて容易になるという利点が得られる。
【産業上の利用可能性】
【００４０】
以上に説明した本発明によるメジャーテープ取付機は、前記の特徴によって前述のような優れた効果を奏するので、境界測量の測距、センター杭測設の測距、平板測量の測距または工事現場における張出の測距等のメジャーテープによる測量が利用される様々な土木・建築等の測量において有利に使用することができる。
【図面の簡単な説明】
【００４１】
【図１】本発明によるメジャーテープ取付機の一例を全体として示す側面図である。
【図２】本発明によるメジャーテープ取付機における上下・前後位置調整部を拡大して示す斜視図である。
【図３】本発明によるメジャーテープ取付機の水平位置調整部における装着部を拡大して示す側面図である。
【図４】本発明によるメジャーテープ取付機の水平位置調整部における別の装着部を三脚とともに示す側面図である。
【図５】先行技術によるメジャーテープ取付機の一例を全体として示す側面図である。
【符号の説明】
【００４２】
１  地形
２，３  杭
１０  支持重量部又は基台
１０ａ  ネジ孔
１１  重量物
１２  把手
１４  三脚
２０  水平位置調整部
２１  棒状部材支持部材
２２  縦棒又は第一の棒状部材
２３・・・・・・・・・・・・・・・縦棒装着部材又は第一棒状部材装着部材
２５  支持部材固定具
２６  装着部材固定具
３０  上下・遠近位置調整部又は上下・前後位置調整部
３１  移動枠又は移動枠体
３１ａ  第一の枠体部分
３１ｂ  第二の枠体部分
３２  横棒又は第二の棒状部材
３３  横棒固定具
３４，３７・・・・・・・・固定具
３５  雄型の円盤状凸部
３６  雌型の円盤状凹部
３８，４１ａ・・・・・・・・・・窪み
４０  鉛直位置調整部
４１，７１  球体
４２  垂直調整枠
４３  垂直調整枠固定具
４４  下垂杆
４５  中間枠又は中間枠体
４６  下垂杆固定具
５０  メジャーテープ固定部
５１  メジャーテープ固定枠又はメジャーテープ固定枠体
５２  回転心棒
５３  回転心棒径大部
５５  メジャーテープ締付ネジ
５６  メジャーテープ締付板
６０  糸
６１  垂球
７１  縦棒支持部材
７１ａ  球状体
７１ｂ  凹部（球面）
７５  ネジ
７７  蓋
Ｍ，Ｍ’  メジャーテープ取付機
ｔ  メジャーテープ
Ｐ  測定すべき距離の始点
Ｐ’  測定すべき距離の終点
ｐ  メジャーテープの始端
Ｑ  基台または支持重量部の置き場所
【図１】
2006112854.tif 000003
【図２】
2006112854.tif 000004
【図３】
2006112854.tif 000005
【図４】
2006112854.tif 000006
【図５】
2006112854.tif 000007